【手続補正書】
【提出日】平成19年5月14日(2007.5.14)
【手続補正１】
【補正対象書類名】明細書
【補正対象項目名】特許請求の範囲
【補正方法】変更
【補正の内容】
【特許請求の範囲】
【請求項１】
色フィルタを備えた撮像素子を用いた複数の撮像装置において、前記複数の撮像装置の内、基準となる第１の撮像装置の撮像素子出力に、前記第１の撮像装置以外の第２の撮像装置の撮像素子出力を合わせるように調整する信号調整方法であって、
前記複数の撮像装置により、第１の色温度を有する第１の光源を用いて基準色の被写体を撮影する第１の撮影工程と、
前記複数の撮像装置により、第１の色温度とは異なる第２の色温度を有する第２の光源を用いて前記被写体を撮影する第２の撮影工程と、
前記第１及び第２の撮影工程で得られた撮像素子出力に基づいて、前記第２の撮像装置の撮像素子出力を前記第１の撮像素子出力に合わせるように、信号処理データを調整する調整工程と
を有することを特徴とする信号調整方法。
【請求項２】
色フィルタを備えた撮像素子を用いた複数の撮像装置において、前記複数の撮像装置の内、基準となる第１の撮像装置の撮像素子出力に、前記第１の撮像装置以外の第２の撮像装置の撮像素子出力を合わせるように調整する信号調整方法であって、
前記複数の撮像装置により、第１の色温度を有する第１の光源を用いて基準色の被写体を撮影して得られた撮像素子出力を取得する第１の取得工程と、
前記複数の撮像装置により、第１の色温度とは異なる第２の色温度を有する第２の光源を用いて前記被写体を撮影して得られた撮像素子出力を取得する第２の取得工程と、
前記第１及び第２の取得工程で得られた撮像素子出力に基づいて、前記第２の撮像装置の撮像素子出力を前記第１の撮像素子出力に合わせるように、信号処理データを調整する調整工程と
を有することを特徴とする信号調整方法。
【請求項３】
前記第１の撮像装置で用いる信号処理データを取得する工程を更に有することを特徴とする請求項１または２に記載の信号調整方法。
【請求項４】
前記調整工程は、
前記第１及び第２の撮影工程で得られた撮像素子出力に基づいて、複数の補正係数を算出する工程と、
前記複数の補正係数を用いて、前記第１の撮像装置で用いる信号処理データを前記第２の撮像装置で用いる信号処理データに変換する工程と
を有することを特徴とする請求項１乃至３のいずれか１項に記載の信号調整方法。
【請求項５】
前記調整工程は、
前記第１及び第２の撮影工程で前記第１の撮像装置から得られた撮像素子出力に基づいて、前記第１の撮像装置で用いる信号処理データを基準データに変換する変換工程と、
前記第１及び第２の撮影工程で前記第２の撮像装置から得られた撮像素子出力に基づいて、前記基準データを前記第２の撮像装置の信号処理データに変換する工程と
を有することを特徴とする請求項３に記載の信号調整方法。
【請求項６】
前記被写体は、白色の被写体であることを特徴とする請求項１乃至５のいずれか１項に記載の信号調整方法。
【請求項７】
前記信号処理データは白色を示すデータであり、前記調整工程では、前記第１の撮像装置における白色を示すデータを、前記第２の撮像装置における白色を示すデータに変換することを特徴とする請求項１乃至６のいずれか１項に記載の信号調整方法。
【請求項８】
前記調整工程で変換されたデータに基づいて、ホワイトバランス補正で用いるパラメータを算出する工程を更に有することを特徴とする請求項７に記載の信号調整方法。
【請求項９】
前記白色を示すデータは、白色を示す複数の直線を特定するパラメータであることを特徴とする請求項７または８に記載の信号調整方法。
【請求項１０】
前記白色を示すデータは、前記色フィルタの各色毎に白色を示す複数の直線を特定するパラメータであることを特徴とする請求項９に記載の信号調整方法。
【請求項１１】
前記調整工程で調整した信号処理データを前記第２の撮像装置に格納する格納工程を更に有することを特徴とする請求項１乃至１０のいずれか１項に記載の信号調整方法。
【請求項１２】
色フィルタを備えた撮像素子を用いた複数の撮像装置において、前記複数の撮像装置の内、基準となる第１の撮像装置の撮像素子出力に、前記第１の撮像装置以外の第２の撮像装置の撮像素子出力を合わせるように調整する信号処理装置であって、
色温度の異なる少なくとも２つの光源を用いて基準色の被写体をそれぞれ撮影して得られた前記第１及び第２の撮像装置の撮像素子出力に基づいて、前記第２の撮像装置の撮像素子出力を、前記第１の撮像装置の撮像素子出力に合わせるように信号処理データを調整する調整手段を有することを特徴とする信号処理装置。
【請求項１３】
前記第１の撮像装置で用いる信号処理データは、予め設定されていることを特徴とする請求項１２に記載の信号処理装置。
【請求項１４】
前記調整手段は、
前記第１の撮像装置及び前記第２の撮像装置の前記撮像素子出力に基づいて、複数の補正係数を算出する手段と、
前記複数の補正係数を用いて、前記第１の撮像装置で用いる信号処理データを前記第２の撮像装置で用いる信号処理データに変換する手段と
を有することを特徴とする請求項１２または１３に記載の信号処理装置。
【請求項１５】
前記調整手段は、
前記第１の撮像装置の撮像素子出力に基づいて、前記第１の撮像装置の信号処理データを基準データに変換する手段と、
前記第２の撮像装置の撮像素子出力に基づいて、前記基準データを前記第２の撮像装置の信号処理データに変換する手段と
を有することを特徴とする請求項１２または１３に記載の信号処理装置。
【請求項１６】
前記被写体は、白色の被写体であることを特徴とする請求項１２乃至１５のいずれか１項に記載の信号処理装置。
【請求項１７】
前記信号処理データは白色を示すデータであり、前記調整手段は、前記第１の撮像装置における白色を示すデータを、前記第２の撮像装置における白色を示すデータに変換することを特徴とする請求項１２乃至１６のいずれか１項に記載の信号処理装置。
【請求項１８】
前記調整手段により変換されたデータに基づいて、ホワイトバランス補正で用いるパラメータを算出する手段を更に有することを特徴とする請求項１７に記載の信号処理装置。
【請求項１９】
前記白色を示すデータは、白色を示す複数の直線を特定するパラメータであることを特徴とする請求項１７または１８に記載の信号処理装置。
【請求項２０】
前記白色を示すデータは、前記色フィルタの各色毎に白色を示す複数の直線を特定するパラメータであることを特徴とする請求項１９に記載の信号処理装置。
【請求項２１】
前記調整手段により調整した信号処理データを前記第２の撮像装置に格納する格納手段を更に有することを特徴とする請求項１２乃至２０のいずれか１項に記載の信号処理装置。
【請求項２２】
色フィルタを備えた撮像素子を有し、色フィルタを備えた撮像素子を有する基準となる外部基準撮像装置の撮像素子出力に、前記撮像素子の撮像素子出力を合わせるように調整する撮像装置であって、
色温度の異なる少なくとも２つの光源を用いて基準色の被写体をそれぞれ撮影して得られた前記撮像装置及び前記基準撮像装置の撮像素子出力に基づいて、前記撮像装置の撮像素子出力を、前記基準撮像装置の撮像素子出力に合わせるように信号処理データを調整する調整手段を有することを特徴とする撮像装置。
【請求項２３】
前記基準撮像装置で用いる信号処理データは、予め設定されていることを特徴とする請求項２２に記載の撮像装置。
【請求項２４】
前記調整手段は、
前記基準撮像装置及び前記撮像装置の撮像素子出力に基づいて、複数の補正係数を算出する手段と、
前記複数の補正係数を用いて、前記基準撮像装置で用いる信号処理データを前記撮像装置で用いる信号処理データに変換する手段と
を有することを特徴とする請求項２２または２３に記載の撮像装置。
【請求項２５】
前記調整手段は、
前記基準撮像装置の撮像素子出力に基づいて、前記基準撮像装置の信号処理データを基準データに変換する手段と、
前記撮像装置の撮像素子出力に基づいて、前記基準データを前記撮像装置の信号処理データに変換する手段と
を有することを特徴とする請求項２２または２３に記載の信号処理装置。
【請求項２６】
前記被写体は、白色の被写体であることを特徴とする請求項２２乃至２５のいずれか１項に記載の撮像装置。
【請求項２７】
前記信号処理データは白色を示すデータであり、前記調整手段は、前記基準撮像装置における白色を示すデータを、前記撮像装置における白色を示すデータに変換することを特徴とする請求項２２乃至２６のいずれか１項に記載の撮像装置。
【請求項２８】
前記調整手段により変換されたデータに基づいて、ホワイトバランス補正で用いるパラメータを算出する手段を更に有することを特徴とする請求項２７に記載の撮像装置。
【請求項２９】
前記白色を示すデータは、白色を示す複数の直線を特定するパラメータであることを特徴とする請求項２７または２８に記載の撮像装置。
【請求項３０】
前記白色を示すデータは、前記色フィルタの各色毎に白色を示す複数の直線を特定するパラメータであることを特徴とする請求項２９に記載の撮像装置。
【請求項３１】
前記調整手段により調整した信号処理データを格納する格納手段を更に有することを特徴とする請求項２２乃至３０のいずれか１項に記載の撮像装置。
【請求項３２】
コンピュータに、請求項２乃至１１のいずれか１項に記載の信号調整方法の各工程を実行させるためのプログラムを格納したことを特徴とするコンピュータが読み取り可能な記憶媒体。
【請求項３３】
請求項１乃至１１のいずれか１項に記載の信号調整方法を用いた撮像装置の製造方法。
【請求項３４】
請求項３３に記載の製造方法を用いて製造された撮像装置。
【手続補正２】
【補正対象書類名】明細書
【補正対象項目名】００１２
【補正方法】変更
【補正の内容】
【００１２】
更に、色フィルタを備えた撮像素子を有し、色フィルタを備えた撮像素子を有する基準となる外部基準撮像装置の撮像素子出力に、前記撮像素子の撮像素子出力を合わせるように調整する本発明の撮像装置は、色温度の異なる少なくとも２つの光源を用いて基準色の被写体をそれぞれ撮影して得られた前記撮像装置及び前記基準撮像装置の撮像素子出力に基づいて、前記撮像装置の撮像素子出力を、前記基準撮像装置の撮像素子出力に合わせるように信号処理データを調整する調整手段を有することを特徴とする撮像装置。